(57)【要約】【課題】  高齢者や操作に不慣れなユーザにに対して、使い勝手の良いメニュー表示を行うようにすること。【解決手段】  複数の階層によって所定数の機能を表示する第１メニューと、単階層によって第１メニューの数より少ない所定数の機能を表示するための第２メニューとが、ユーザによって選択可能とされ、第２メニューによる表示の際には、単階層構成で第２メニューによる各機能の項目を１画面で表示する。【選択図】      図１
2005175616.tif 000002
【特許請求の範囲】
【請求項１】
操作・設定可能な機能に関するメニュー表示を行う表示手段を備え、選択・決定されたメニュー項目に対応する機能の設定や動作を行う電子機器において、
少なくとも、複数の階層によって所定数の機能を表示するための第１メニューの情報、および、単階層によって第１メニューの数より少ない所定数の機能を表示するための第２メニューの情報を、記憶した記憶部と、
前記第１メニューによる表示か前記第２メニューによる表示かを、ユーザが選択・指定するための切り替え手段と、
前記記憶部に記憶した情報に基づいて、前記表示手段上に表示するメニュー表示の表示制御を行う制御手段とを、
備え、
前記制御手段は、前記第２メニューによる表示の際には、単階層構成で第２メニューによる各機能の項目を１画面で表示し、前記第１メニューによる表示の際には、複数階層構成で第１メニューの各機能の項目を表示することを特徴とするメニュー表示機能を有する電子機器。
【請求項２】
請求項１に記載のメニュー表示機能を有する電子機器において、
前記制御手段は、前記第１メニューによる表示の際の各機能の項目の表示内容と、前記第２メニューによる表示の際の各機能の項目の表示内容とを異ならせ、前記第２メニューによる表示の際の各機能の項目の表示内容を、前記第１メニューによる表示の際の各機能の項目の表示内容よりも詳細に表示することを特徴とするメニュー表示機能を有する電子機器。
【請求項３】
請求項１または２に記載のメニュー表示機能を有する電子機器において、
前記第２メニューの表示中に任意の機能の項目が選択されると、前記制御手段は、選択された機能に関する詳細情報を前記記憶部から読み出し、第２メニューの表示に付加して、選択された機能に関する詳細情報を同時に表示することを特徴とするメニュー表示機能を有する電子機器。
【請求項４】
請求項１乃至３の何れか１項に記載のメニュー表示機能を有する電子機器において、
メニュー種別に応じて前記第１メニューと前記第２メニューとがそれぞれ用意されていることを特徴とするメニュー表示機能を有する電子機器。
【請求項５】
請求項１乃至３の何れか１項に記載のメニュー表示機能を有する電子機器において、
前記電子機器はカメラをもつ機器であり、少なくとも、カメラ設定メニューとナビゲーションメニューとに、第１メニューと第２メニューとがそれぞれ用意されていることを特徴とするメニュー表示機能を有する電子機器。
【発明の詳細な説明】
【技術分野】
【０００１】
本発明は、操作・設定可能な機能に関するメニュー表示を行う表示手段を備え、選択・決定されたメニュー項目に対応する機能の設定や動作を行う、メニュー表示機能を有する電子機器に係り、特に、メニュー表示の内容を、第１メニューと第２メニューとに切り替え可能とする技術に関する。
【背景技術】
【０００２】
近年、ＣＲＴ（Cathode Ray Tube）や液晶などのディスプレイに、操作可能な機能をメニュー項目として並べたメニューを表示し、ユーザが適宜の操作によりメニュー項目を選択・決定することにより、選択・決定された機能の設定や動作を行わせることのできる操作環境を提供する装置が広く普及している。これらの装置の多くは、高機能化により機能の数が多くなり表示するメニュー項目も増え、１画面で全てのメニュー項目を表示させようとすると、文字数を減らすか、文字の大きさを小さくする必要がある。しかし、この手法では、文字が小さくなって見にくくなるか、文字数が少ないため機能を把握しにくくなるという問題があった。特に、表示部が小さな携帯装置ではこのことが顕著で、１画面では全てのメニュー項目を表示できないため、機能をグループ化して階層構成（複数階層構成）による複数の画面に分けて、全ての機能を表示するようにした装置が多くなっている。そして、ユーザは、この階層構成を使用して必要な機能を選択している。
【０００３】
しかしながら、装置の機能全てを使用しない高齢者や装置に不慣れなユーザにとっては、使用しない機能が多く、メニューが複数の階層を持つ場合、希望する機能を選択するには、ユーザは浅い階層から希望する機能が含まれていると思われるメニュー項目を選択することで次の階層のメニュー項目を表示させるという方法で、希望する機能を選択しなくてはならないので、不慣れなユーザにとって希望するメニュー項目が何処にあるのか分りにくく、使い勝手が悪くなってしまうという問題があった。
【０００４】
上記問題を解決する手法として、従来技術では、携帯電話機全体の機能を網羅的に含んだ詳細メニューと、頻繁に使用される機能を詳細メニューから抽出してメニュー化し且つ詳細メニューとは異なる階層構造を有した簡単メニューとを備え、詳細メニューと簡単メニューとを排他的に切り替えて表示するという構成を持ち、高齢者や操作に不慣れなユーザ等を含めた幅広いユーザに対応した携帯端末を提供するものがある（例えば、特許文献１参照）。
【０００５】
また、他の従来技術では、ビデオカメラにおいて、設定可能な全ての機能を含むビデオエンジニアモードの機能一覧メニューと、この機能一覧メニューから任意に選択される機能を含むカメラマンモードの機能一覧メニューとを持ち、カメラマンには触れて貰いたくない機能はカメラマンモードの機能一覧メニューに含めない構成と成すことで、カメラマンが選択可能な機能を効率良く選択することができるものがある（例えば、特許文献２参照）。
【０００６】
さらに、他の従来技術では、所定の入力操作に応じて、通信関連動作で選択可能なほぼ全ての態様を列挙した通常メニュー、または、通信関連動作で選択可能な全態様のうち所定の態様を列挙した簡単メニューのうちのいずれかを、表示手段に表示する構成を持ち、高機能を要求するユーザにも、また、単機能で十分なユーザにも、使いやすい通信装置のユーザインターフェースを簡単安価に提供することができるものがある（例えば、特許文献３参照）。
【０００７】
さらに、他の従来技術では、表示装置において、設定・調整範囲の狭いメニューと、設定・調整範囲の広いメニューとを持ち、各メニューの表示属性を変更することを可能にすることで、ユーザのレベルに応じて自分専用の設定・調整メニュー、すなわちカスタマイズドメニューを作ることができるものがある（例えば、特許文献４参照）。
【特許文献１】特開２００３-０５８２９２号公報
【特許文献２】特開２０００-３１６１０９号公報
【特許文献３】特開２００３-０５１９０３号公報
【特許文献４】特開２００２-２１５１２３号公報
【発明の開示】
【発明が解決しようとする課題】
【０００８】
上記した従来技術は、ほとんどの機能を表示する範囲の広い詳細なメニューと、頻繁に使用する範囲の狭い機能だけで表示する詳細メニューとは階層の異なる簡単なメニューとを、切り替えるという手法を提案している。この手法により、メニューの切り替えによって、使用しない機能が多く表示されることによるメニューの分りにくさと、メニュー項目が多いことによるメニュー項目名の文字数制限や文字大きさ制限等の問題を解決することができる。
【０００９】
しかしながら、上記特許文献１記載の従来技術では、簡単なメニュー時に１画面にメニュー項目を全て表示するということには配慮がなされておらず、簡単なメニュー時も階層による表示をするようになっているため、ユーザは希望する機能が含まれていると思われるメニュー項目を選択して次の階層にあるメニュー項目を表示する操作を必要とされる。このため、不慣れなユーザにとって希望するメニュー項目が何処にあるのか分りにくく、使い勝手が悪くなってしまうという問題があった。
【００１０】
さらに、上記特許文献２、３、４記載の従来技術においても同様で、簡単なメニュー時に１画面にメニュー項目を全て表示するということについては配慮がなされておらず、不慣れなユーザにとって希望するメニュー項目が何処にあるのか分りにくく、使い勝手が悪くなってしまうという問題があった。
【００１１】
さらには、不慣れなユーザにとっては、メニュー項目名だけでは機能内容を把握しにくい場合があり、簡単メニュー表示時にはメニュー項目名を平易な表現にすることは、不慣れなユーザにとっては有効である。しかしながら、上記に記載の従来技術では、詳細メニューと簡単メニュー表示時で、メニュー項目名の表現を変えるということについては配慮がなされておらず、使い勝手が悪いという問題があった。
【００１２】
さらに、平易な表現でも限られた文字数では理解が不十分な場合、詳細を知るためには取扱説明書等を見る必要があるが、取扱説明書のどこに記載してあるかを探さなくてはならず、使い勝手が悪いという問題がある。任意の機能を選択した場合、簡単な説明の表示または取扱説明書の参照ページ等を表示することは有効であるが、このことについても、上記に記載の従来技術では配慮されていないため、使い勝手が悪いという問題があった。
【００１３】
本発明は上記の点に鑑みなされたもので、その目的とするところは、簡単なメニューにおいて選択できる全てのメニュー項目を１画面表示し、一目して何処にあるのか分かりやすくすることのできるメニュー表示を実現することにある。また、本発明の目的とするところは、さらに、選択機能の詳細情報を表示することにより、機能内容を把握しやすくすることにある。
【課題を解決するための手段】
【００１４】
本発明は上記した目的を達成するために、操作・設定可能な機能に関するメニュー表示を行う表示手段を備え、選択・決定されたメニュー項目に対応する機能の設定や動作を行う、メニュー表示機能を有する電子機器において、
少なくとも、複数の階層によって所定数の機能を表示するための第１メニューの情報、および、単階層によって第１メニューの数より少ない所定数の機能を表示するための第２メニューの情報を、記憶した記憶部と、
第１メニューによる表示か前記第２メニューによる表示かを、ユーザが選択・指定するための切り替え手段と、
記憶部に記憶した情報に基づいて、表示手段上に表示するメニュー表示の表示制御を行う制御手段とを、
備え、
制御手段は、第２メニューによる表示の際には、単階層構成で第２メニューによる各機能の項目を１画面で表示し、第１メニューによる表示の際には、複数階層構成で第１メニューの各機能の項目を表示する、
ように構成される。  
これにより、ユーザが頻繁に使用する基本的な機能のみを階層構成をもたずに１画面に全てのメニュー項目を表示する第２メニューを用いることで、操作に不慣れなユーザであっても、操作したい機能を示すメニュー項目を一目で探し出すことができ、使い勝手が向上する。  
さらに、本発明では、前記制御手段は、前記第１メニューによる表示の際の各機能の項目の表示内容と、前記第２メニューによる表示の際の各機能の項目の表示内容とを異ならせ、前記第２メニューによる表示の際の各機能の項目の表示内容を、前記第１メニューによる表示の際の各機能の項目の表示内容よりも詳細に表示するように、構成される。  
これにより、基本機能のみを表示する第２メニューにおいては、操作に不慣れなユーザに理解できるような平易な表現をとることによって、操作に不慣れなユーザであっても内容が把握しやすくなり、さらに使い勝手が向上する。  
さらに、本発明では、前記第２メニューの表示中に任意の機能の項目が選択されると、前記制御手段は、選択された機能に関する詳細情報を前記記憶部から読み出し、第２メニューの表示に付加して、選択された機能に関する詳細情報を同時に表示するように、構成される。  
これにより、選択した機能に関する詳細情報を画面上に表示できるので、ユーザは取扱説明書を見なくても機能内容を把握することができ、さらに使い勝手が向上する。
【発明の効果】
【００１５】
本発明によれば、高機能を要求するユーザに対応する装置の機能を網羅した通常メニュー（第１メニュー）と、操作に不慣れなユーザに対応する使用する頻度の高い機能のみで構成された簡単メニュー（第２メニュー）とに切り替え可能とし、簡単メニューにおいては、階層をもたず１画面に全てのメニュー項目が表示されるので、ユーザは操作したい機能を示すメニュー項目を瞬時に探し出すことができる。また、通常メニューと簡単メニューとでは、同一の機能を表す項目の表現内容が異なり、簡単メニューでは、項目名の内容が操作に不慣れなユーザであっても理解しやすい表現としているので、操作に不慣れなユーザであっても内容が把握しやすくなる。また、簡単メニューでメニュー項目を選択すると、選択されたメニュー項目の指す機能の詳細な情報を同時に表示するので、通常メニューでは得られないメニュー項目に関する情報を得ることができる。総じて、本発明によれば、メニューの項目や階層が多数存在することによる使い勝手の悪さや、項目名の文字数が少ないので項目が示す機能に関する情報が少ないという問題を解消し、高齢者や操作に不慣れなユーザにとって使い勝手の良いメニュー表示機能を持つ電子機器を提供することができる。
【発明を実施するための最良の形態】
【００１６】
以下、本発明の実施の形態を、図面を用いて説明する。
【００１７】
図１は、本発明の一実施形態（以下、本実施形態と記す）に係るデジタルビデオカメラ（以下、カメラと記す）の構成を示すブロック図である。なお、本実施形態では、操作可能な機能を全てメニュー化した通常メニューと、所定の機能のみをメニュー化した簡単メニューとを持ち、両メニュー間の切り替えをユーザが適宜に行うことが可能な、メニュー表示機能を持つ電子機器として、カメラを例にとっているが、本発明が適用されるメニュー表示機能を持つ電子機器は、これに限定されるものではないことは言うまでもない。
【００１８】
図１において、１０１はカメラ機能部、１０２は記憶媒体、１０３はメモリ、１０４は表示部、１０５は外部映像出力機能部、１０６は操作入力部、１０７は制御部である。
【００１９】
本実施形態のカメラで撮影された映像は、レンズとＣＣＤ（Charge Coupled Devise）センサとエンコーダとデコーダなどからなるカメラ機能部１０１によって、映像信号に変換され、記録媒体１０２に記録される。記憶媒体１０２は、本カメラに内蔵、もしくは本カメラ外部に接続されたハードディスクドライブ（ＨＤＤ）、半導体メモリ、光ディスク、光磁気ディスクなどである。また、カメラ機能部１０１は、ＥＶＦ（Electric View Finder）やＬＣＤ（Liquid Crystal Display）などの表示部１０４と、本カメラ外部の映像表示機器へ映像信号を出力する外部映像出力機能部１０５とに映像信号を出力することで、本カメラの表示部１０４と本カメラ外部に接続された映像表示機器とに、映像を出力させる。
【００２０】
操作入力部１０６は、本カメラの外面に配置され、ユーザがキー操作などにより本カメラを操作するためのものであり、制御部１０７は、ユーザの操作入力に応じた制御を行う。この制御部１０７は、本カメラの全体制御を司るもので、あらかじめ作成された各種プログラムと各種設定データに基づいて、ユーザの操作に応じた各種の制御（撮影制御、記録制御、再生制御、表示制御等々）を実行する。
【００２１】
メモリ１０３には、制御部１０７が実行する各種処理に関連するデータ（各種プログラムデータ、各種設定データなど）が格納されており、また、メモリ１０３は、制御部１０７が実行するプログラムを展開してプログラムを実行したり、表示メニュー画面などを生成してこれをバッファリングしたりするための、ワークエリアとしても使用される。ここで、図１では説明の簡単化のために、メモリ１０３内には、メニュー表示に関連する記憶領域のみが示されており、メモリ１０３内において、１０８は簡単メニュー情報の記憶領域、１０９は通常メニュー情報の記憶領域、１１０は詳細情報の記憶領域、１１１はメニュー表示制御プログラム及び表示用補助データの記憶領域である。
【００２２】
通常メニュー情報の記憶領域１０８には、本カメラでユーザが操作・設定可能な機能を全て網羅し、複数の階層構成でメニュー表示を行う通常メニューのための、各機能の項目に関連するデータ、すなわち、各機能の項目ＩＤ、文字コードデータ、どの階層に属するかやどのグループに属するかの属性データ、表示位置を示す位置データ、カラーデータ、サイズデータなどが格納されている。
【００２３】
簡単メニュー情報の記憶領域１０９には、階層構成をとらずに１画面で一括表示する簡単メニューのための、本カメラでユーザが頻繁に利用し且つ基本的である機能に関連するデータ、すなわち、各機能の項目ＩＤ、文字コードデータ、表示位置を示す位置データ、カラーデータ、サイズデータなどが格納されている。ここで、簡単メニューの機能の項目は、通常メニューを用いて階層順に選択される最下層（最末端層）の機能の項目に相当するものであり、通常メニューの最下層の機能と同一の機能を表す項目であっても、通常メニューの最下層の機能を表わす項目の表現内容よりも、平易な表現内容で且つ文字数の多いものとなっている。
【００２４】
なお、本実施形態では、カメラ設定メニューとナビゲーションメニューの２種類のメニューに、通常メニューと簡単メニューとが用意されていて、通常メニュー情報の記憶領域１０８と簡単メニュー情報の記憶領域１０９には、カメラ設定メニューとナビゲーションメニューにそれぞれ対応するデータが格納されていて、カメラ設定メニューとナビゲーションメニューに対応する識別子が前記項目ＩＤには含まれている。
【００２５】
詳細情報の記憶領域１１０には、簡単メニューの各項目に対応する詳細解説データや取扱説明書の記載箇所データや簡易図形データなどが、簡単メニューの各項目ＩＤに対応付けて格納されている。
【００２６】
メニュー表示制御プログラム及び表示用補助データの記憶領域１１１には、メニュー表示を行うための制御プログラムデータや、表示に用いるテキストデータや枠データやカーソルデータなどが格納されている。
【００２７】
本実施形態のカメラにおいて、ユーザが操作入力部１０６から所定の操作により、カメラ設定メニューまたはナビゲーションメニューのメニュー表示の指示を行うと、制御部１０７は、記憶領域１１１のメニュー表示制御プログラムをワークエリアにおいて展開・実行して、操作入力部１０６の切り替えスイッチの設定状態に応じて、カメラ設定メニューまたはナビゲーションメニューの通常メニュー、あるいは、カメラ設定メニューまたはナビゲーションメニューの簡単メニューの表示に用いるためのデータを、各記憶領域１０８、１０９、１１１から抽出して、これを表示形態に対応した形に変換処理して、各表示位置に配置してカメラ設定メニューまたはナビゲーションメニューの通常メニューの画像データ、あるいは、カメラ設定メニューまたはナビゲーションメニューの簡単メニューの画像データを作成する。そして、制御部１０７は、作成した画像データを表示部１０４と外部映像出力機能部１０５に転送して、表示部１０４と、必要に応じ本カメラ外部の映像表示機器に、カメラ設定メニューまたはナビゲーションメニューの通常メニュー、あるいは、カメラ設定メニューまたはナビゲーションメニューの簡単メニューを表示させる。また、簡単メニューを表示している際に、ユーザが任意の機能の項目を選択した場合には、制御部１０７は、記憶領域１１０から、ユーザが選択した機能に対応するデータを抽出して、上記した簡単メニューに、ユーザが選択した機能に対応する詳細情報を付加した画像データを作成して、これを同様に、表示部１０４と、必要に応じ本カメラ外部の映像表示機器に転送して表示させる。
【００２８】
図２は、図１の操作入力部１０６の一部を構成する操作パネルの例を示す図である。図２において、２０１はカメラ設定メニューボタン、２０２はナビゲーションメニューボタン、２０３は切り替えスイッチ、２０４はカーソル操作キー、２０５は決定ボタン、２０６は戻るボタンである。
【００２９】
ユーザは、カメラ設定メニューボタン２０１を押すことで、カメラの記録や動作に関する設定を行うメニュー表示の開始や終了を操作する。また、ユーザは、ナビゲーションボタン２０２を押すことで、記録媒体１０２に記録された画像の再生や編集などの機能を行うナビゲーションのメニュー表示の開始や終了を操作する。さらに、ユーザは、切り替えスイッチ２０３を操作することにより、表示するメニューを、簡単メニューと通常メニューとに択一選択する。カメラ設定メニューとナビゲーションメニューは、先にも述べたように、図２において切り替えスイッチ２０３が通常モードのときに表示される通常メニューと、切り替えスイッチ２０３が簡単モードのときに表示される簡単メニューとを、それぞれもつ。切り替えスイッチ２０３の構成は、タクトスイッチやトグルスイッチやＬＣＤのタッチパネル入力などが考えられ、図２に示すようなスライドスイッチに限定されるものではない。また、ユーザは、メニュー内のカーソルを操作するカーソル操作キー２０４と、ボタンを押すことでカーソルが選択している項目が示す次の階層のメニュー項目の表示や、機能の設定を決定する決定ボタン２０５と、カーソルが選択しているメニュー項目の１つ前の階層のメニュー項目へ戻る動作をする戻るボタン２０６とを使用することで、メニューの操作を行う。
【００３０】
図３は、本実施形態における、通常メニューと簡単メニューとの切り替え制御の処理フローを示す図である。以下、図３を用いて、本実施形態のカメラにおける通常メニューと簡単メニューの表示に関する動作を説明する。
【００３１】
まず、ユーザは電源を入れ、本カメラを起動させる（ステップＳ３０１）。本カメラの電源が入った状態で、カメラ設定メニューボタン２０１もしくはナビゲーションメニューボタン２０２を押すと、制御部１０７はメニュー表示制御プログラムを起動させる（ステップＳ３０２）。そして、カメラ設定メニューボタン２０１が押されたとき（ステップＳ３０３）に、切り替えスイッチ２０３が通常モードにセットされていた場合には、制御部１０７は、先にも述べたように、記憶領域１０９、１１１から必要データを抽出して、カメラ設定メニューの通常メニューの画像データを作成して、これを表示部１４などに、カメラ設定通常メニューとして表示させる（ステップＳ３０５）。このカメラ設定通常メニューの表示をしている際に、ユーザが切り替えスイッチ２０３を簡単モードに切り替えると（ステップＳ３０９）、ステップＳ３０３に遷移して、この際には切り替えスイッチ２０３が簡単モードにセットされているので、制御部１０７は、先にも述べたように、記憶領域１０８、１１１から必要データを抽出して、カメラ設定メニューの簡単メニューの画像データを作成して、これを表示部１４などに、カメラ設定簡単メニューとして表示させる（ステップＳ３０６）。
【００３２】
また、カメラ設定メニューボタン２０１が押されたとき（ステップＳ３０３）に、切り替えスイッチ２０３が簡単モードにセットされていた場合には、制御部１０７は、記憶領域１０８、１１１から必要データを抽出して、カメラ設定メニューの簡単メニューの画像データを作成して、これを表示部１４などに、カメラ設定簡単メニューとして表示させる（ステップＳ３０６）。このカメラ設定簡単メニューの表示をしている際に、ユーザが切り替えスイッチ２０３を通常モードに切り替えると（ステップＳ３０９）、ステップＳ３０３に遷移して、この際には切り替えスイッチ２０３が通常モードにセットされているので、制御部１０７は、記憶領域１０９、１１１から必要データを抽出して、カメラ設定メニューの通常メニューの画像データを作成して、これを表示部１４などに、カメラ設定通常メニューとして表示させる（ステップＳ３０５）。
【００３３】
一方、ナビゲーションボタン２０２が押されたとき（ステップＳ３０４）に、切り替えスイッチ２０３が通常モードにセットされていた場合には、制御部１０７は、記憶領域１０９、１１１から必要データを抽出して、ナビゲーションメニューの通常メニューの画像データを作成して、これを表示部１４などに、ナビゲーション通常メニューとして表示させる（ステップＳ３０７）。このナビゲーション通常メニューの表示をしている際に、ユーザが切り替えスイッチ２０３を簡単モードに切り替えると（ステップＳ３１０）、ステップＳ３０４に遷移して、この際には切り替えスイッチ２０３が簡単モードにセットされているので、制御部１０７は、記憶領域１０８、１１１から必要データを抽出して、ナビゲーションメニューの簡単メニューの画像データを作成して、これを表示部１４などに、ナビゲーション簡単メニューとして表示させる（ステップＳ３０８）。
【００３４】
また、ナビゲーションボタン２０２が押されたとき（ステップＳ３０４）に、切り替えスイッチ２０３が簡単モードにセットされていた場合には、制御部１０７は、記憶領域１０８、１１１から必要データを抽出して、ナビゲーションメニューの簡単メニューの画像データを作成して、これを表示部１４などに、ナビゲーション簡単メニューとして表示させる（ステップＳ３０８）。このナビゲーション簡単メニューの表示をしている際に、ユーザが切り替えスイッチ２０３を通常モードに切り替えると（ステップＳ３１０）、ステップＳ３０４に遷移して、この際には切り替えスイッチ２０３が通常モードにセットされているので、制御部１０７は、記憶領域１０９、１１１から必要データを抽出して、ナビゲーションメニューの通常メニューの画像データを作成して、これを表示部１４などに、ナビゲーション通常メニューとして表示させる（ステップＳ３０７）。
【００３５】
上述したような処理フローによって、カメラ設定メニューまたはナビゲーションメニューの２種のメニューが、切り替えスイッチ２０３によって、それぞれ通常メニューと簡単メニューとに容易に切り替えることが可能となる。
【００３６】
なお、カメラ設定簡単メニューの表示中（ステップＳ３０６）またはナビゲーション簡単メニューの表示中（ステップＳ３０８）に、ユーザがカーソル操作キー２０４により、任意のメニュー項目を選択した場合には、制御部１０７は、記憶領域１１０から、ユーザが選択した機能に対応するデータを抽出して、カメラ設定簡単メニューまたはナビゲーション簡単メニューに、ユーザが選択した機能に対応する詳細情報を付加した画像データを作成して、これを同様に、表示部１０４などに表示させる。ここで、簡単メニューに対する詳細情報の付加は、ユーザがカーソル操作キー２０４を操作することを受けて行うようになっているが、簡単メニューを初期表示した際には、カーソルが位置している先頭のメニュー項目の詳細情報を付加して表示するようにしてもよい。
【００３７】
次に、カメラ設定通常メニューおよびカメラ設定簡単メニューの表示例と操作例を、図４、図５を用いて説明する。まず、通常モードでの例について説明する。図４は、切り替えスイッチ２０３を通常モードにして、カメラ設定メニューボタン２０１を押すことにより、表示部１０４上に表示させたカメラ設定通常メニューの１例を示している。図４に示した例は、ユーザが、上層のカメラ設定通常メニューの項目の中から、記録機能４０１を選択した後に、中層の記録機能の各項目の中から動画画質４０２を選択して、さらに、下層の動画画質の各項目の中からＳＴＤ（Standard）４０３にカーソルを合わせている状態を示している。カメラ設定通常メニューを用いると、標準画質で記録するための設定をする場合には、ユーザは、まず記録機能４０１を選択し、次に動画画質４０２を選択し、さらにＳＴＤ４０３を選択した上で、決定ボタン２０５を押すことになる。そして、これにより、撮影時標準画質で記録するための設定が終了する。なお、カメラ設定通常メニュー内の項目は、本カメラが持つメニューにより操作可能のカメラ設定機能の全てを網羅しており、項目数が多くなっている。表示部１０４に多数の項目を表示するために、項目１つあたりの項目名はそれぞれ文字数が少ない表現で、表示面積が少なく表示されている。項目名は少ない文字数でその内容が表現されているため、標準画質で記録するという設定が、例えばＳＴＤ４０３のように表示されている。
【００３８】
次に、簡単モードでの例を説明する。図５は、切り替えスイッチ２０３を簡単モードにして、カメラ設定メニューボタン２０１を押すことにより、表示部１０４上に表示させたカメラ設定簡単メニューの１例を示している。図５に示した例は、ユーザが標準画質で撮影する５０１にカーソルを合わせおり、図４に示した例と全く同一の機能にユーザがカーソルを合わせている状態を示している。カメラ設定簡単メニューを用いると、標準画質で記録するための設定をする場合には、ユーザは、標準画質で撮影する５０１を選択して、決定ボタン２０５を押すだけでよく、操作性が向上する。なお、カメラ設定簡単メニューでは、表示される項目は、基本的な機能や使用頻度の高い機能を操作するものだけで構成されており、項目数は少ない。よって、多数の項目を表示するために文字数が少ない表現で、表示面積を少なくするという制限は、カメラ設定通常メニューと比較すると大幅に緩和され、カメラ設定簡単メニュー内の項目名は、カメラに不慣れなユーザの理解を促す表現内容をするために、カメラ設定通常メニューにおける項目名では単語や略語のみで表現されていた機能が、カメラ設定簡単メニューにおける項目名では文章で表現されていることもある。また、カメラ設定簡単メニューは階層構成を持たず、メニュー項目が全て１画面に同時に一括表示されるので、カメラに不慣れなユーザであっても、操作しようとする機能を示すメニュー項目が、何処にあるのか迷うことは無い。
【００３９】
さらに、ウインドウ５０２において、カーソルが合わせられたメニュー項目が指す機能の詳細な説明や操作内容や該機能が解説されている説明書の頁番号などを、テキストや絵で同時に表示するようにしているので、ユーザはカメラ設定通常メニューでは得られないメニュー項目に関する情報を得ることができ、カメラに不慣れなユーザが、カメラ設定通常メニューで操作する場合に必要となる機能に関する知識を得ることができる。
【００４０】
次に、ナビゲーション通常メニューおよびナビゲーション簡単メニューの表示例と操作例を、図６、図７を用いて説明する。まず、通常モードでの例を説明する。図６は、切り替えスイッチ２０３を通常モードにして、ナビゲーションボタン２０２を押すことにより、表示部１０４上に表示させたナビゲーション通常メニューの１例を示している。図６に示した例は、ユーザが、上層のナビゲーション通常メニューの項目の中からシーン６０１を選択した後に、中層のシーンの各項目の中からＤＰＯＦ６０２を選択して、さらに下層のＤＰＯＦの各項目の中から設定６０３にカーソルを合わせている状態を示している。ナビゲーション通常メニューを用いると、ＤＰＯＦ（Digital Print Order Format）対応のプリンタで印刷するときの設定をする場合には、まずシーン６０１を選択し、次にＤＰＯＦ６０２を選択し、さらに設定６０３を選択した上で、決定ボタン２０５を押すことになる。そして、これにより、プリンタへ印刷するときの設定が終了する。なお、ナビゲーション通常メニューでは、カメラ設定通常メニューと同様にメニュー内の項目は項目数が多くなっており、ディスプレイに多数の項目を表示するために、項目１つあたり項目名はそれぞれ文字数が少ない表現で、表示面積が少なく表示されている。
【００４１】
次に、簡単モードでの例を説明する。図７は、切り替えスイッチ２０３を簡単モードにして、ナビゲーションボタン２０２を押すことにより、表示部１０４上に表示させたナビゲーション簡単メニューの１例を示している。図７に示した例は、ユーザがＤＰＯＦを設定する７０１にカーソルを合わせおり、図６に示した例と全く同一の機能にユーザがカーソルを合わせている状態を示している。ナビゲーション簡単メニューを用いると、ＤＰＯＦ対応のプリンタで印刷するための設定をする場合、ユーザは、ＤＰＯＦを設定する７０１を選択して、決定ボタン２０５を押すだけでよいので、操作性が向上する。なお、ナビゲーション簡単メニューでは、表示される項目は、基本的な機能や使用頻度の高い機能を操作するものだけで構成されており、項目数は少ない。よって、多数の項目を表示するために文字数が少ない表現で、表示面積を少なくするという制限は、ナビゲーション通常メニューと比較すると大幅に緩和され、ナビゲーション簡単メニュー内の項目名は、カメラに不慣れなユーザの理解を促す表現内容をするために、ナビケーション通常メニューにおける項目名では単語や略語のみで表現されていた機能が、ナビゲーション簡単メニューにおける項目名では文章で表現されていることもある。また、ナビゲーション簡単メニューは、カメラ設定簡単メニューと同様に階層を持たず、メニュー項目が全て１画面に同時に一括表示されるので、カメラに不慣れなユーザであっても、操作しようとする機能を示すメニュー項目が何処にあるのか迷うことは無い。
【００４２】
さらに、ウインドウ７０２において、カーソルが合わせられたメニュー項目が指す機能の詳細な説明や操作内容や該機能が解説されている説明書の頁番号などを、テキストや絵で同時に表示するようにしているので、ユーザはナビゲーション通常メニューでは得られないメニュー項目に関する情報を得ることができ、カメラに不慣れなユーザが、ナビゲーション通常メニューで操作する場合に必要となる機能に関する知識を得ることができる。
【００４３】
なお、上述した説明においては、複数階層の構成をとるカメラ設定通常メニューまたはナビゲーション通常メニューにおける、最上層の選択による次層以降の表示を１画面中で展開するようにしているが、通常メニューにおける次層以降の表示は、別画面でそれぞれ行うようにしてもよいことは、勿論である。
【図面の簡単な説明】
【００４４】
【図１】本発明の一実施形態に係るデジタルビデオカメラ（メニュー表示機能を有する電子機器）の構成を示すブロック図である。
【図２】本発明の一実施形態に係るデジタルビデオカメラにおける、操作入力部の一部を構成する操作パネルの例を示す説明図である。
【図３】本発明の一実施形態に係るデジタルビデオカメラにおける、メニュー切り替えのための処理フローの例を示すフローチャートである。
【図４】本発明の一実施形態に係るデジタルビデオカメラにおける、カメラ設定通常メニューの表示例を示す説明図である。
【図５】本発明の一実施形態に係るデジタルビデオカメラにおける、カメラ設定簡単メニューの表示例を示す説明図である。
【図６】本発明の一実施形態に係るデジタルビデオカメラにおける、ナビゲーション通常メニューの表示例を示す説明図である。
【図７】本発明の一実施形態に係るデジタルビデオカメラにおける、ナビゲーション簡単メニューの表示例を示す説明図である。
【符号の説明】
【００４５】
１０１  カメラ機能部
１０２  記憶媒体
１０３  メモリ
１０４  表示部
１０５  外部映像出力機能部
１０６  操作入力部
１０７  制御部
１０８  簡単メニュー情報の記憶領域
１０９  通常メニュー情報の記憶領域
１１０  詳細情報の記憶領域
１１１  メニュー表示制御プログラム及び表示用補助データの記憶領域
２０１  カメラ設定メニューボタン
２０２  ナビゲーションメニューボタン
２０３  切り替えスイッチ
２０４  カーソル操作キー
２０５  決定ボタン
２０６  戻るボタン
【図１】
2005175616.tif 000003
【図２】
2005175616.tif 000004
【図３】
2005175616.tif 000005
【図４】
2005175616.tif 000006
【図５】
2005175616.tif 000007
【図６】
2005175616.tif 000008
【図７】
2005175616.tif 000009